(57)【特許請求の範囲】
【請求項１】
左右の前輪（１０）及び左右の後輪（１１）を備えた走行車体（２）と、該走行車体（２）の操縦席（３１）に設けた操向方向を決める操向手段（３４）と、該操向手段（３４）の操作に連動して前輪（１０）の向きを変更できるステアリング機構（１７５，１８０など）と、該ステアリング機構（１７５，１８０など）に連動してサイドクラッチにより旋回内側の走行推進体（１１）の駆動力を断続的に入／切する旋回連動機構（Ａ）と、
左右の後輪（１１）の伝動軸の回転数を検出する各々の伝動軸回転数センサ（２０５）を備え、
走行車体（２）の旋回時において、旋回内側の後輪（１１）の駆動力を旋回連動機構（Ａ）により断続的に入／切する制御を、旋回外側の伝動軸回転数検出手段（２０５ａ）により検出される回転数（ａ１）に応じて旋回内側の後輪（１１）の設定回転数を決定して、旋回内側の伝動軸回転数センサ（２０５）により検出される回転数が前記設定回転数となるよう実行し、駆動状態では旋回内側の後輪（１１）を所定の回転角度に達するまでサイドクラッチにより継続して駆動する制御装置（１６３）を備えたことを特徴とする走行車両。
【請求項２】
所定の回転角度を手動で変更可能な調節ダイヤル（２１０）を設けたことを特徴とする請求項１に記載の走行車両。
【請求項３】
昇降リンク装置（３）を介して苗植付部（４）を昇降可能に装着し、操向手段（３４）の回転に基づいて自動的に苗植付部（４）を上昇させる構成とし、自動的に苗植付部（４）が上昇しない状態に切り替える自動リフト切替スイッチ（１９２）を設け、苗植付部（４）への伝動を入切する植付クラッチを設け、制御装置（１６３）は、旋回内側の該後輪（１１）の該サイドクラッチを切って機体を旋回させるときに該サイドクラッチを切ってからの旋回内側の後輪（１１）の伝動軸の回転数を伝動軸回転数センサ（２０５）により検出し、伝動軸回転数センサ（２０５）の検出による回転数が第一の設定値になると苗植付部（４）を下降させ、その後、伝動軸回転数センサ（２０５）の検出による回転数が第二の設定値になると植付クラッチにより苗植付部（４）を自動的に作動させる旋回連動制御を行い、高速で走行しているときには旋回内側の後輪（１１）を非駆動状態で継続する構成としたことを特徴とする請求項１に記載の走行車両。
【請求項４】
操向手段（３４）の操作により作動するピットマンアーム（１７５）と、ピットマンアーム（１７５）に連動する作動ローラ（１７７）と、作動ローラ（１７７）に連動する従動体（１７９）と、従動体（１７９）から左右のサイドクラッチ操作アーム（８６Ｉ）を作動させる左右各々のロッド（１８０）と、ロッド（１８０）とサイドクラッチ操作アーム（８６Ｉ）の間に設けたプルシリンダ（２１７）と、プルシリンダ（２１７）を油圧で作動させるための電磁バルブ（２２１）を備え、該プルシリンダ（２１７）の作動により継続して旋回内側のサイドクラッチを切る制御と旋回内側のサイドクラッチを断続的に入／切する制御を実行する構成としたことを特徴とする請求項１に記載の走行車両。
【発明の詳細な説明】
【技術分野】
【０００１】
本発明は、作業車両に苗植え付け装置などの作業装置を連結した乗用型作業機などの走行車両に関するものである。
【背景技術】
【０００２】
作業車両の進行方向左右に配置される車輪を操向ハンドルの操作で、該ハンドルの操作に対応した車輪のサイドクラッチやサイドブレーキなどを入切して旋回させる。  
特許文献１（特開２００４−１９６０００号公報）には、左右の後輪への伝動を各別に断続するサイドクラッチと、前輪が直進姿勢から設定角度以上に操向されると旋回内側のサイドクラッチを切り操作する機械式の自動操向機構を備えており、前輪が直進姿勢から設定角度以上に操向されている状態が検出されると、旋回内側の後輪に対するサイドクラッチをアクチュエータによって自動的かつ間欠的に入り切り制御する構成が開示されている。
【特許文献１】特開２００４−１９６０００号公報
【発明の開示】
【発明が解決しようとする課題】
【０００３】
前記特許文献１に開示された乗用型作業機では、前輪を大きく操向操作するだけで小回り旋回を行うことのできる自動操向機構の特徴を活かしながら、旋回内側の後輪による圃場の荒らしを軽減できるようになる。しかし、特許文献１に開示された６条植え用の乗用型田植機に代えて８条植え用の乗用型田植機を用いると、機体の横幅が大きいので田植機の旋回半径が大きくなり、旋回の程度を強めたり緩めたりする必要があるが、前記特許文献１に開示された旋回連動制御装置を適用しても十分旋回できずに前回の植付条に一部重なった状態で苗の植え付けをするおそれがあった。  
そこで本発明の課題は８条植えなどの多条植え用であっても適切な位置で苗の植え付けができる旋回連動制御装置を備えた乗用型作業機などの走行車両を提供することである。
【課題を解決するための手段】
【０００４】
本発明の上記課題は次の解決手段で解決される。  
請求項１記載の発明は、左右の前輪（１０）及び左右の後輪（１１）を備えた走行車体（２）と、該走行車体（２）の操縦席（３１）に設けた操向方向を決める操向手段（３４）と、該操向手段（３４）の操作に連動して前輪（１０）の向きを変更できるステアリング機構（１７５，１８０など）と、該ステアリング機構（１７５，１８０など）に連動してサイドクラッチにより旋回内側の走行推進体（１１）の駆動力を断続的に入／切する旋回連動機構（Ａ）と、左右の後輪（１１）の伝動軸の回転数を検出する各々の伝動軸回転数センサ（２０５）を備え、走行車体（２）の旋回時において、旋回内側の後輪（１１）の駆動力を旋回連動機構（Ａ）により断続的に入／切する制御を、旋回外側の伝動軸回転数検出手段（２０５ａ）により検出される回転数（ａ１）に応じて旋回内側の後輪（１１）の設定回転数を決定して、旋回内側の伝動軸回転数センサ（２０５）により検出される回転数が前記設定回転数となるよう実行し、駆動状態では旋回内側の後輪（１１）を所定の回転角度に達するまでサイドクラッチにより継続して駆動する制御装置（１６３）を備えたことを特徴とする走行車両である。
【０００５】
請求項２記載の発明は、所定の回転角度を手動で変更可能な調節ダイヤル（２１０）を設けたことを特徴とする請求項１に記載の走行車両である。
請求項３記載の発明は、昇降リンク装置（３）を介して苗植付部（４）を昇降可能に装着し、操向手段（３４）の回転に基づいて自動的に苗植付部（４）を上昇させる構成とし、自動的に苗植付部（４）が上昇しない状態に切り替える自動リフト切替スイッチ（１９２）を設け、苗植付部（４）への伝動を入切する植付クラッチを設け、制御装置（１６３）は、旋回内側の該後輪（１１）の該サイドクラッチを切って機体を旋回させるときに該サイドクラッチを切ってからの旋回内側の後輪（１１）の伝動軸の回転数を伝動軸回転数センサ（２０５）により検出し、伝動軸回転数センサ（２０５）の検出による回転数が第一の設定値になると苗植付部（４）を下降させ、その後、伝動軸回転数センサ（２０５）の検出による回転数が第二の設定値になると植付クラッチにより苗植付部（４）を自動的に作動させる旋回連動制御を行い、高速で走行しているときには旋回内側の後輪（１１）を非駆動状態で継続する構成としたことを特徴とする請求項１に記載の走行車両である。
請求項４記載の発明は、操向手段（３４）の操作により作動するピットマンアーム（１７５）と、ピットマンアーム（１７５）に連動する作動ローラ（１７７）と、作動ローラ（１７７）に連動する従動体（１７９）と、従動体（１７９）から左右のサイドクラッチ操作アーム（８６Ｉ）を作動させる左右各々のロッド（１８０）と、ロッド（１８０）とサイドクラッチ操作アーム（８６Ｉ）の間に設けたプルシリンダ（２１７）と、プルシリンダ（２１７）を油圧で作動させるための電磁バルブ（２２１）を備え、該プルシリンダ（２１７）の作動により継続して旋回内側のサイドクラッチを切る制御と旋回内側のサイドクラッチを断続的に入／切する制御を実行する構成としたことを特徴とする請求項１に記載の走行車両である。
【発明の効果】
【０００６】
請求項１記載の発明によれば、駆動状態では旋回内側の後輪（１１）を所定の回転角度に達するまでサイドクラッチにより継続して駆動し、旋回内側の後輪（１１）の駆動力を断続的に入／切する衝撃も少なく、たとえ湿田走行中であっても、所望の走行経路で旋回が可能となる。
【０００７】
請求項２記載の発明によれば、請求項１記載の発明の効果に加えて、所定の回転角度を手動で変更でき、操縦性が良い走行車両を提供できる。
請求項３記載の発明によれば、請求項１記載の発明の効果に加えて、サイドクラッチが切れる旋回内側の後輪（１１）の回転数に基づいて、苗植付部（４）を下降させ、その後、植付クラッチにより苗植付部（４）を自動的に作動させるので、スリップ等の影響を受け難く、苗の植え始めをほぼ一定にできる。また、自動リフト切替スイッチ（１９２）により自動的に苗植付部（４）が上昇しない状態に切り替えると、扇型やひょうたん型等の変形圃場で畦際に沿って周り植えをする場合に、曲がった畦に沿ってステアリングハンドル（３４）を回しながら植付け作業を行うが、ステアリングハンドル（３４）を回転しても苗植付部（４）は自動的に上昇しないので植付け作業が行え、変形圃場でも適切に苗植付け作業が行える。
請求項４記載の発明によれば、請求項１記載の発明の効果に加えて、プルシリンダ（２１７）の作動により継続して旋回内側のサイドクラッチを切る制御と旋回内側のサイドクラッチを断続的に入／切する制御を実行できる。
【発明を実施するための最良の形態】
【０００８】
以下、図面に基づき、本発明の好ましい実施の形態について説明する。  
図１及び図２は本発明を用いた一実施例である粉粒体繰出し装置として施肥装置を装着した乗用型田植機の側面図と平面図である。この施肥装置付き乗用型田植機１は、走行車体２の後側に昇降リンク装置３を介して苗植付部４が昇降可能に装着され、走行車体２の後部上側に施肥装置５の本体部分が設けられている。
【０００９】
走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸に左右前輪１０，１０が各々取り付けられている。また、ミッションケース１２の背面部にメインフレーム１５の前端部が固着されており、そのメインフレーム１５の後端左右中央部に前後水平に設けた後輪ローリング軸を支点にして後輪ギヤケース１８，１８がローリング自在に支持され、その後輪ギヤケース１８，１８から外向きに突出する後輪車軸に後輪１１，１１が取り付けられている。
【００１０】
エンジン２０はメインフレーム１５の上に搭載されており、該エンジン２０の回転動力が、ベルト伝動装置２１及び油圧式無段変速装置２３を介してミッションケース１２に伝達される。ミッションケース１２に伝達された回転動力は、該ケース１２内のトランスミッションにより変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けた植付クラッチケース２５に伝達され、それから植付伝動軸２６によって苗植付部４へ伝動されるとともに、施肥伝動機構２８によって施肥装置５へ伝動される。
【００１１】
エンジン２０の上部はエンジンカバー３０で覆われており、その上に座席３１が設置されている。座席３１の前方には各種操作機構を内蔵するフロントカバー３２があり、その上方に前輪１０，１０を操向操作するハンドル３４が設けられている。エンジンカバー３０及びフロントカバー３２の下端左右両側は水平状のフロアステップ３５になっている。フロアステップ３５は一部格子状になっており（図２参照）、該ステップ３５を歩く作業者の靴についた泥が圃場に落下するようになっている。フロアステップ３５上の後部は、後輪フェンダを兼ねるリヤステップ３６となっている。
【００１２】
また、走行車体２の前部左右両側には、補給用の苗を載せておく予備苗載台３８，３８が機体よりも側方に張り出す位置と内側に収納した位置とに回動可能に設けられている。昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム（図示せず）の先端部との間に昇降油圧シリンダ４６が設けられており、該シリンダ４６を油圧で伸縮させることにより、上リンク４０が上下に回動し、苗植付部４がほぼ一定姿勢のまま昇降する。
【００１３】
苗植付部４は８条植の構成で、フレームを兼ねる苗植付伝動ケース５０、マット苗を載せて左右往復動し苗を一株分づつ各条の苗取出口５１ａ、…に供給するとともに横一列分の苗を全て苗取出口５１ａ、…に供給すると苗送りベルト５１ｂ、…により苗を下方に移送する苗載台５１、苗取出口５１ａ、…に供給された苗を圃場に植付ける苗植付装置５２、…、次行程における機体進路を表土面に線引きする左右一対の線引きマーカ（図示せず）等を備えている。苗植付部４の下部には中央にセンターフロート５５、その左右両側にミドルフロート５７とサイドフロート５６がそれぞれ設けられている。これらフロート５５〜５７を圃場の泥面に接地させた状態で機体を進行させると、フロート５５〜５７が泥面を整地しつつ滑走し、その整地跡に苗植付装置５２、…により苗が植付けられる。各フロート５５〜５７は圃場表土面の凹凸に応じて前端側が上下動するように回動自在に取り付けられており、植付作業時にはセンターフロート５５の前部の上下動が迎角制御センサ（図示せず）により検出され、その検出結果に応じ前記昇降油圧シリンダ４６を制御する油圧バルブを切り替えて苗植付部４を昇降させることにより、苗の植付深さを常に一定に維持する。
【００１４】
施肥装置５は、肥料ホッパ６０に貯留されている粒状の肥料を繰出部６１、…によって一定量づつ繰り出し、その肥料を施肥ホース６２、…でフロート５５〜５７の左右両側に取り付けた施肥ガイド（図示せず）、…まで導き、施肥ガイド、…の前側に設けた作溝体（図示せず）、…によって苗植付条の側部近傍に形成される施肥構内に落とし込むようになっている。ブロア用電動モータ５３で駆動するブロア５８で発生させたエアが、左右方向に長いエアチャンバ５９を経由して施肥ホース６２、…に吹き込まれ、施肥ホース６２、…内の肥料を風圧で強制的に搬送するようになっている。
【００１５】
苗植付部４には整地装置の一例であるロータ２７（２７ａ，２７ｂ）が取り付けられている。また、苗載台５１は苗植付部４の全体を支持する左右方向と上下方向に幅一杯の矩形の支持枠体６５の支持ローラ６５ａをレールとして左右方向にスライドする構成である。
【００１６】
ロータ２７は、次のような支持構造に支持されている。すなわち苗載台５１の前記支持枠体６５の両側辺部材６５ｂに上端を回動自在に支持された梁部材６６と該梁部材６６の両端に固着した支持アーム６７と該支持アーム６７に回動自在に取り付けられたロータ支持フレーム６８が設けられ、該ロータ支持フレーム６８の下端にはロータ２７（サイドロータ２７ａとセンタロータ２７ｂ）の駆動軸７０（７０ａ，７０ｂ）が取り付けられている。また該ロータ支持フレーム６８の下端部近くは苗植付伝動ケース５０に回動自在に取り付けられた連結部材７１に連結している。
【００１７】
フロート５５〜５７との配置位置の関係でセンタフロート５５の前方にあるロータ２７ｂはサイドフロート５６とミドルフロート５７の前方にある各ロータ２７ａより前方に配置されている。そのためロータ２７ａの駆動軸７０ａへの動力は後輪１１のギアケース１８内のギアから伝達され、ロータ２７ｂの駆動軸７０ｂへは両方のロータ２７ａ，２７ａの駆動軸７０ａ，７０ａの車体内側の端部からそれぞれ動力が伝達される。
【００１８】
また、ロータ２７ｂは梁部材６６に上端部が支持された一対のリンク部材７６，７７によりスプリング７８を介して吊り下げられている。  
また、ロータ上下位置調節レバー８１の下端部には折曲片８２が固着されており、該折曲片８２は支持枠体６５に回動自在に支持されている。そして前記レバー８１が車両の左右方向に回動操作されると、支持枠体６５の両側辺部材６５ｂに回動自在に支持された梁部材６６に固着支持された突出部６６ａの近くを折曲片８２が上下に回動する。折曲片８２は前記突出部６６ａの下方を係止しているので、該突出部６６ａがレバー８１の機体右方向の回動で、上向きに梁部材６６を中心として回動する。該突出部６６ａの前記回動により第一リンク部材７６の梁部材６６との連結部と反対側の端部も梁部材６６を中心として上向きに回動する。この第一リンク部材７６の上方への回動により第二リンク部材７７とスプリング７８を介してロータ２７ｂを上方に上げることができる。ロータ２７ｂを上方に移動させると、駆動軸７０ｂと駆動軸７０ａを介してロータ２７ａも同時に上方に移動する。  
なお、ロータ上下位置調節レバー８１は車体２のほぼ中央部に設けているので、ロータ２７ａ，２７ｂの上下動を行う場合に左右のバランスを取りやすい。
【００１９】
また、苗植付部４を圃場に下げたときに、苗植付部４を水平位置に戻すケーブル４５をセンタロータ２７ｂのリンク部材７６，７７とスプリング７８等からなる引上げスプリング部と油圧ピストン４６と連動させた。
【００２０】
このように、センタロータ２７ｂのスプリング７８等によるスイング機構の他にケーブル４５を設けることで苗植付部４を上昇位置から下降させるごとにセンタロータ２７ｂを水平位置に戻すことができ、センタロータ２７ｂの保持位置を安定化させることができる。
【００２１】
エンジン２０の回転動力は、ベルト伝動装置２１などを介して油圧式変速装置油圧式無段変速装置２３に伝えられ、油圧式変速装置油圧式無段変速装置２３からの出力はベルト（図示せず）を介してミッションケース１２の図示しない入力軸に伝えられる。
【００２２】
苗植付部４は、走行車体２のメインフレーム１５に昇降リンク装置３で昇降自在に装着されているが、その昇降させる構成と苗植付部４の構成について説明する。先ず、走行車体２に基部が回動自在に設けられた一般的な油圧シリンダー４６（図１）のピストン上端部を昇降リンク装置３に連結し、走行車体２に設けた油圧ポンプ（図示せず）により油圧シリンダー４６に圧油を供給・排出して、油圧シリンダー４６のピストンを伸進・縮退させて昇降リンク装置３に連結した苗植付部４が上下動されるように構成されている。
【００２３】
図３の平面図には、図１の乗用型田植機の操向操作に連動する後輪１１のサイドクラッチ作動機構図を示す。  
ハンドル３４で旋回動作させる際に、ハンドル３４の操作により作動するピットマンアーム１７５に出力軸１７４を介して作動ローラ１７７を連動させ、該作動ローラ１７７に従動体１７９を連動させて左右の後輪１１の伝動軸のサイドクラッチ操作アーム８６Ｉを作動させるクラッチ連動用の左右ロッド１８０が設けられているが、該クラッチ連動用左右ロッド１８０とサイドクラッチ操作アーム８６Ｉとの間は左右のプルシリンダ２１７で連結した構成となっている。
【００２４】
また、プルシリンダ２１７を作動させるためのクラッチ制御用の電磁バルブ２２１を備えた油圧回路を図１４に示す。左右のサイドクラッチ操作アーム８６Ｉは、前記左右のプルシリンダ２１７（図３）（旋回時にシリンダ２１７を引き、旋回内側の後輪１１の伝動軸のサイドクラッチを切る）作動制御用のサイドクラッチ制御用電磁バルブ２２１を備えている上記構成を用いて、ハンドル３４を一定角度回転させた後に、一つは継続して前記サイドクラッチを切る制御（Ａ）ともう一つは一定周期で前記サイドクラッチを接続／切断する制御（Ｂ）に切替え選択可能にした。制御（Ａ）は標準用であり、制御（Ｂ）は湿田用である。
【００２５】
図３に示す部材１７４，１７５，１７７，１７９，１８０、２１７，８６Ｉなどを旋回連繋機構Ａと言うことにする。  
上記した実施例では、ステアリングハンドル３４の所定角以上の操作により、旋回内側の後輪１１のサイドクラッチ（図示せず）を切る例を示したが、サイドクラッチスイッチを作業モニタ装置に備えた操作盤３３に設けておき、手動でサイドクラッチの「切」が可能な構成にしても良い。または、サイドクラッチペダルにより、手動でサイドクラッチの「切」が可能な構成にしても良い。
【００２６】
次に、後進時に苗植付部４を自動的に上昇させる制御構成について説明する。先ず、図４に示すように、チェンジレバー９０（前後進レバー）を後進速に操作すると、チェンジレバー９０の基部に設けた接当片１９０が接当してＯＮになるバックリフトスイッチ１９１が設けられており、制御装置１６３（図５）の苗植付装置上昇手段により電磁油圧バルブ（昇降バルブ）１６１を作動させる電磁ソレノイドを制御して油圧シリンダー４６にて苗植付部４を最大位置まで上昇させるように構成されている。
【００２７】
このように、チェンジレバー９０を後進速に操作すると、自動的に苗植付部４を最大位置まで上昇させるように構成しておくと、圃場の畦際で機体を旋回させるため等に機体を畦に向かって後進させる時に、自動的に苗植付部４は最大位置まで上昇しているので、苗植付部４が畦に衝突して破損することが未然に防止でき作業性が良い。
【００２８】
また、前記ステアリングハンドル３４を左右何れかに２００度回転させた時に図５に示すオートリフトスイッチ１８３がＯＮになると、制御装置１６３の苗植付部上昇手段により電磁油圧バルブ１６１を作動させる電磁ソレノイドを制御して油圧シリンダー４６にて苗植付部４を最大位置まで上昇させるように構成されている。
【００２９】
このように、畦際で機体を旋回させるためにステアリングハンドル３４を左右何れかに最大限まで回転させると、オートリフトスイッチ１８３がＯＮになり、自動的に苗植付部４は最大位置まで上昇するので、機体旋回時に苗植付部４を上昇させる操作が不要となり、能率良く機体旋回が行えて作業性が良い。
【００３０】
一方、操作盤３３には、苗植付部４の自動上昇を行わせる状態と行わせない状態とに切替える自動リフト切替スイッチ１９２（図５）が設けられており、自動リフト切替スイッチ１９２を自動にしていると、上記のようにバックリフトスイッチ１９１がＯＮになるかオートリフトスイッチ１８３がＯＮになると自動的に苗植付部４は制御装置１６３の苗植付装置上昇手段により自動上昇される。そして、自動リフト切替スイッチ１９２をＯＦＦにしていると、バックリフトスイッチ１９１がＯＮになってもオートリフトスイッチ１８３がＯＮになっても苗植付部４は自動上昇されない。
【００３１】
このように、一つの自動リフト切替スイッチ１９２で、バックリフトスイッチ１９１がＯＮになってもオートリフトスイッチ１８３がＯＮになっても苗植付部４は自動上昇されない状態にすることができるので、バックリフトとオートリフトの各々を入り切りするスイッチを別々に設けた構成よりも簡潔な構成となり、一つのスイッチで両者の状態切替えが行えるので、操作ミスが少なくなり作業性が良い。
【００３２】
なお、自動リフト切替スイッチ１９２をＯＦＦにして、バックリフトスイッチ１９１がＯＮになってもオートリフトスイッチ１８３がＯＮになっても苗植付部４が自動上昇しない状態にしておくと、機体を後進で納屋等にしまう時にチェンジレバー９０を後進速に操作しても苗植付部４が自動上昇しないので、苗植付部４を下げたまま後進することができ、納屋の入口上部や納屋内の他の部材に苗植付部４をぶつけてしまうような事態が回避できる。また、扇型やひょうたん型等の変形圃場で畦際に沿って周り植えをする場合に、曲がった畦に沿ってステアリングハンドル３４を回しながら植付け作業を行うが、この時に、自動リフト切替スイッチ１９２を自動位置にしていると、ステアリングハンドル３４を左右何れかに２００度以上回転すると自動的に苗植付部４が上昇してしまい植付け作業が行えないが、自動リフト切替スイッチ１９２をＯＦＦにしていると、ステアリングハンドル３４を左右何れかに２００度以上回転しても苗植付部４は上昇しないので植付け作業が行え、変形圃場でも適切に苗植付け作業が行える。
【００３３】
また、上記構成からなる田植機１では、本実施例の制御装置１６３は旋回内側の後輪１１のドライブシャフト（伝動軸）（図示せず）の回転数の検出に基づいて、旋回時の苗植え付けなどの諸作動を自動的に行わせる旋回連動制御ができる。この制御モードを自動植付開始モードということがあるが、特に、旋回内側の後輪１１が所定角度以上操舵されているときに、前記旋回連動制御ができる。
【００３４】
旋回後の苗の植始め位置の設定を後輪の回転数に基づいて自動的に行う制御モード（自動植付開始モード）の設定ができ、この制御モード設定は旋回開始タイミングをハンドル３４の旋回角度（切れ角）センサ１９３で検知し、該旋回角度センサ１９３で検知した旋回開始時からの走行距離を車輪（旋回内側の後輪１１の伝動軸）の回転数センサ２０５の検出値に基づき測定し、前記走行距離が所定値に達すると苗植付レバー１９（図２）の操作をしなくても、自動的に苗の植え付けを開始する自動植付開始モードである。
【００３５】
この制御の考え方を図６と表１に示す。
【表１】
0004998324.tif 000002
【００３６】
すなわち、ステアリングハンドル３４を切り、旋回内側の後輪１１のサイドクラッチが切れた状態で、左右ドライブシャフトの回転数を検出し、旋回時の内側の後輪７の伝動軸回転数が設定値Ｎ１を超えると苗植付部４を下降させる。その後、後輪７の伝動軸回転数が設定値Ｎ２と苗植付け具１２６の作動が「切り」状態に入って（＝苗植付装置５２が上げ状態に移って）からステアリングハンドル３４の切り操作開始までの後輪１１の伝動軸の回転数ｎの合計値以上になると植付「入り」にする機構である。
【００３７】
上記旋回連動制御のフローを図７に示す。  
まず、左右の後輪１１，１１の伝動軸の回転数を伝動軸回転数センサ２０５で検出し、また設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）、θ１（（直進操作時のハンドル切り設定角度の）下限値）、θ２（（直進操作時のハンドル切り設定角度の）上限値）をセットする。
【００３８】
次いで、圃場の硬軟や水深、耕盤深さ等の圃場条件の相違に対応するために、前記回転数Ｎ１、Ｎ２及びハンドル切り角度θ１、θ２の各設定値を調節する設定ダイヤル２０６ａ〜２０８ｂ（図５）により、補正値ｎ０を設定する。
【００３９】
苗植付部４の苗植付け具１２６が苗の植え付け状態にあるか無いかをフィンガーレバー１６６の操作に伴う制御装置１６３の状態で検出して、植付「入」から植付「切」になったとき、苗植付け具１２６の作動が「入り」状態に入ってから苗植付け具１２６の作動が「切り」状態になるまでの後輪１１の伝動軸の回転数ｎを伝動軸回転数センサ２０５で検出して、その値（ｎ）を記憶しておく。次いで、ステアリングハンドル３４の切り角度（操舵角度）θをステアリングハンドル３４のシャフトに設けたハンドル切れ角センサ（ポテンショメータ）１９３（図５）で検出して直進時（θ１＜θ＜θ２）以外の時には左右のいずれの方向に旋回中であるかどうかを検出する。
【００４０】
左旋回中であると左後輪１１の伝動軸の回転数を検出して、回転数ｎ１がｎ１≧Ｎ１＋ｎ０になると、旋回開始から機体が９０度以上旋回したことになるので苗植付部４を下げる。この苗植付部４の下降で枕地が均平化される。また、機体を９０度旋回させた後には、ハンドル３４の旋回度合いを緩めながら前進させ、左後輪１１の左右ドライブシャフトの回転数ｎ２がｎ２≧Ｎ２＋ｎ＋ｎ０になると、苗植付け具１２６を作動させて苗の植え付けを開始させる。
【００４１】
本実施例の田植機では、自動植付開始モードが設定された時にのみ自動的に旋回外側の後輪１１の回転数に応じて、旋回内側の後輪１１の駆動を断続的にサイドクラッチを伝動することからなるポンピングブレーキ旋回（ポンピングクラッチ旋回ともいう）を行うことができる。このようにポンピングブレーキ旋回を行うことにより、ブレーキングによる衝撃も少なく、エンジン回転や車速の影響を受けずに後輪１１の旋回角度に応じたブレーキングの周期を得ることができる。前記旋回内側の後輪１１のクラッチをオン／オフするポンピングブレーキ旋回において、車速が遅ければ遅い程ポンピングの周期を短く、速ければ速いほどポンピングの周期を長くすることで、オペレータに旋回時の違和感がないブレーキングを行うことができる。  
例えば、車速０ｍ／ｓで旋回内側の後輪１１の伝動軸のサイドクラッチ（図示せず：クラッチ操作アーム８６Ｉなどにより行う）の作動周期（オン／オフを含む）が０．５秒、車速０．５ｍ／ｓで前記サイドクラッチ作動周期（オン／オフを含む）が１．０秒、車速１．０ｍ／ｓで前記サイドクラッチ作動周期（オン／オフを含む）が１．５秒となるように一次関数的に車速に応じて旋回内側の後輪１１の伝動軸のサイドクラッチ作動周期を変更する。
【００４２】
高速走行時は特に後輪１１の伝動軸のクラッチをオンするときでも、オフするときでも衝撃が大きい。そこで上記のように、ポンピングブレーキによる衝撃を少なくするために、高速走行時ほどポンピングブレーキ（クラッチ操作アーム８６Ｉなどにより行う）のオン／オフの周期を長めにする。
【００４３】
本実施例の８条植の田植機のように、大型の走行車両は旋回時には比較的大回りをする必要がある。しかし、旋回中に旋回内側の後輪１１の伝動軸のサイドクラッチを切ったままでおくと、小回りになり過ぎる。しかし、本実施例のように  そこで旋回内側の後輪１１の伝動軸をポンピングブレーキ制御すると、オペレータに旋回時の違和感がないブレーキングを行うことができ、オペレータの希望する適切な旋回半径で８条植の田植機に相応しい比較的大回りの旋回が可能となる。
【００４４】
前記旋回内側の後輪１１の伝動軸のサイドクラッチの接続は、図１２に示すように操作盤３３に設けているポンピングクラッチ調節ダイヤル２１０で設定された回転数（回転角度）に旋回内側の後輪１１の回転数が達するまでなされる。
【００４５】
ポンピングクラッチ調節ダイヤル２１０は、後輪回転角度（＝後輪１１の伝動軸の回転角度）で１１度〜２７度の間で調整を行う。なお、前記ポンピングクラッチ調節ダイヤル２１０を後輪１１（後輪１１の伝動軸）の回転角度でなく、後輪１１の伝動軸作動用のクラッチ（図示せず）の作動時間、例えば２１０ｍｓから５１０ｍｓまでの時間で設定できる構成にして、このポンピングクラッチ調節ダイヤル２１０で設定された時間の間、旋回内側の後輪１１の伝動軸のサイドクラッチ（図示せず）が接続される構成としても良い。
【００４６】
また、路上走行などで高速走行しているときには、ポンピングクラッチ旋回を選択すると、大回り旋回になり易く、そのためむしろハンドリングに違和感があるので、路上走行などの高速走行中には、前記ポンピングクラッチ旋回は不要である。そこで、走行車両が一定車速、例えば１．０ｍ／ｓ以上で高速走行しているときには、クラッチのポンピングが行われないようにしている。
【００４７】
本実施例の田植機において、ステアリングハンドル３４を回して旋回する場合に、旋回外側の後輪１１の回転数（ａ１）に応じて旋回内側の後輪１１の回転数（ｂ１；ｂ１＜ａ１）を決めるように前記ポンピングクラッチ制御を行う構成としても良い。
【００４８】
この制御フローの具体実施例を図８に示すが、ステアリングハンドル３４を回して旋回する場合に、旋回を始めてから旋回外側の後輪１１の回転数が所定値（ａ０）に達すると（この間は旋回「内」側後輪１１のサイドクラッチは「切」）、前記旋回「内」側の後輪１１のサイドクラッチは「入」にして、それから旋回「外」側の後輪１１が所定の回転数（ａ１）になるまで旋回「内」側の後輪１１のサイドクラッチを「入」にしておく。
【００４９】
また、前記旋回内側の後輪のサイドクラッチの「入」と「切」のタイミングは制御装置１６３が自動設定するが、図９に示すタイムチャートのように旋回内側後輪１１のサイドクラッチの「切」に対応する旋回外側の後輪１１の回転数（ａ０）と旋回内側のサイドクラッチの「入」に対応する旋回外側の後輪１１の回転数（ａ１）をポンピングクラッチ調節ダイヤル２１０により手動で設定することもできる。  
この様な図８のフローに示す制御を行うと湿田での作業性が従来より向上する。
【００５０】
また、図７に示す制御フローの設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）を小さくするほど、旋回内側の後輪１１が深い圃場などにおいて深く沈み込んでいる場合など、苗の植え付け時の苗植付装置５２の下降を速く行いたい場合に有効である。
【００５１】
後輪１１が深く圃場に沈み込んでいる場合には苗植付部４を走行機体に昇降自在に連結した上リンク４０と下リンク４１の昇降の程度を検出する昇降リンクセンサ４８で検出する。
【００５２】
この場合の制御フローを図１０（ａ）に示し、図１０（ｂ）に旋回開始から機体９０°旋回までの旋回内側の後輪１１のドライブシャフト（伝動軸）回転信号設定値Ｎ１又は機体９０°旋回から植付クラッチ「入り」までの旋回内側の前記ドライブシャフト回転信号設定値Ｎ２の昇降リンクセンサ４８の検出値に対する値の関係を示す。
【００５３】
また、図７に示す自動植付制御モードにおいて、ステアリングハンドル３４の操作角度θ１（（直進操作時のハンドル切り設定角度の）下限値）、θ２（（直進操作時のハンドル切り設定角度の）上限値）による苗植付部４の上昇のタイミングを前記θ１、θ２の設定ダイヤル２０６ａ，ｂで任意に変更可能なように構成することができる。  
上記構成により旋回制御中にオペレータが苗植付部４の上昇タイミングを任意に設定できるので自分のペースに合わせた作業性を行うことができる。
【００５４】
こうして、８条植えなどの多条植え用の乗用型作業機であっても、前回の植付条に一部重なった状態で苗の植え付けをするおそれなく圃場での旋回が可能となる。  
右旋回の場合にも左旋回時と全く同様の制御が行われる。
【００５５】
このようにサイドクラッチが切れている後輪１１の伝動軸（ドライブシャフト）の回転数を検出する方法は、動力の伝わっている後輪１１の回転数検出方法に比べてよりスリップなどの影響を受け難い特徴がある。また、後輪１１より回転の速いドライブシャフトの回転数を検出するため、容易にその測定精度を上げることができる。その結果、各植え付け条毎の苗の植え付け始めがほぼ一定（枕地幅（Ｄ）が一定）となる効果がある。
【００５６】
また、上記図７に示す一連の旋回制御の諸動作を行う旋回制御のスタートボタン（スイッチ）１８４を上記苗植付のスタート位置の設定を行うボタンとして兼用してもよい。
【００５７】
このように、畦際から発進して苗植付のスタート位置の設定を行うボタンと前記一連の旋回制御の諸動作を行う旋回制御のスタートボタン（スイッチ）１８４を兼用することによりボタン操作の忘れを防止できる。
【００５８】
また、枕地を一工程で苗の植付作業を行うことができるホイルベースが短い田植機を用いて苗の植え付け作業を行う場合に、田植機の旋回時に苗植付部４の下降タイミングが早く、畦に苗植付部４の旋回外端が乗り上げることがある。この様な場合に苗植付部４の傾きを検出すると旋回時の苗植付部４の下降開始の設定時間を自己補正しておき、次回から、例えば数秒間、自動で苗植付部４の下降開始時間を遅らせるように制御を行うことで、畦に苗植付部４の旋回外端の乗り上げで、不測の破損事故を防止することができる。
【００５９】
また、下降開始を遅らせすぎて苗の植え付け開始位置までに苗植付部４の下降が間に合わなくて接地していないことを昇降リンクセンサ４８で検知すると、警報でオペレータに知らせることができる、また、このとき苗植付部４を下降させないで作業を終了させる制御を行っても良い。  
なお、畦に苗植付部４の旋回外端が乗り上げたことは苗植付部ローリングセンサ５４で検出することができる。この場合の制御フローを図１１に示す。  
こうして旋回制御により圃場への苗植付位置のずれを防止できる。
【００６０】
なお、前記旋回制御時には苗植付部４の「下げ」から苗植付部４の「入り」までの間に苗植付部４の油圧シリンダー４６の油圧感度を鈍感（上昇側に切り替わらない）状態にすることでセンターフロート５５などを前上がり状態にすることが望ましい。これはセンターフロートセンサー１６９の制御目標をセンターフロート５５が前上がり状態になるように設定することで行え、センターフロート５５を前上がり状態にすることで旋回跡を均平にすることができ、枕地処理が容易に精度よく行える。
【００６１】
前記自動植付開始モードの設定は植始め調節ダイヤル２１２（図１３）で行い、また前記旋回開始時からの苗の植付け始めまでの走行距離は、図１３に示す植始め調節ダイヤル２１２を回して設定する。  
前記植始め調節ダイヤル２１２の回転角度に応じて前記走行距離を適宜選択できる構成であるが、該ダイヤル２１２の前記走行距離の調節範囲より外れたダイヤル旋回角度領域（しかも自動植付開始モードに入る前のダイヤル旋回角度領域）に、車両の旋回開始時に自動的に苗植付装置４を上昇させる制御モードを選択できるオ−トリフト機能及び車両の後進時に自動的に苗植付装置４を上昇させる制御モードを選択できるバックリフト機能を兼用させている。
【００６２】
そして、植始め調節ダイヤル２１２のダイヤル回転操作でオ−トリフト機能に対応した位置に植始め調節ダイヤル２１２の指示部が「オートリフト」と指示された位置に至ると、当該オートリフト機能がオンになり、オートリフト制御モードが開始すると同時に前記ポンピングクラッチ制御を開始する制御モードを採用することもできる。
【００６３】
これは湿田での旋回走行中では、車輪１０，１１がスリップし易く、自動植付開始モードで苗の植え付け開始位置が予定した位置になり難いため、前記ポンピングクラッチ旋回を選定するが、このときのみ連動してポンピングクラッチ制御をすることができる。  
こうしてスリップし易い条件下での車両の旋回走行を容易に行うことができるようになる。
【００６４】
また、自動植付開始モードが設定されていない時、例えば路上走行時には前記ポンピングクラッチ旋回をしないで、通常の旋回内側の車輪（後輪１１）の伝動軸のサイドクラッチを切りながら旋回する通常の旋回モードとすることもできる。
【００６５】
昇降バルブ１６１の下げＰＷＭ（Pulse Wide Modulation）制御時の騒音の対応策として次のような構成を採用することができる。すなわち、図１４に示す油圧回路図において昇降バルブ１６１より昇降シリンダ４６側にあるチェックバルブ１６２のスプールの後方から出る作動油を利用して、スプールがストロークしすぎるとスプールのポートを閉める構成でダンパー効果を得るようにして昇降バルブ１６１の下げＰＷＭ制御時の騒音を小さくする。
【００６６】
現行の前記チェックバルブ１６２では、昇降バルブ１６１の下げのＰＷＭ制御時にスプールが高速にプラグ等に当たることにより騒音が発生する。個々の部品の精度などの違いにより大きな音が発生するものがあり問題となっているが、騒音が発生する箇所としてチェックバルブ１６２のスプールがそのストッパになっているプラグに当たる時に大きい音となることが分かったのでチェックバルブ１６２のスプールがプラグに当たる前にポートを閉めてダンパー効果によりプラグに当たらないようにして騒音の発生を防ぐことができた。
【００６７】
本実施例の田植機の変速装置は従来周知の可変容量型の油圧ポンプ９１と油圧モータ９２を閉回路状にオイルが循環する油圧回路で接続した油圧式無段変速装置２３を備えているが、その油圧回路構成を図１５に示す。
【００６８】
図１５において、油圧式無段変速装置２３は可動斜板９５付きの可変容量型油圧ポンプ９１と定容量型の油圧モータ９２を備え、該油圧式無段変速装置２３にはエンジン２０からの出力が入力軸（図示せず）を経由して油圧ポンプ９１に入り、油圧ポンプ９１の可動斜板９５の傾斜角度を調整することで油圧ポンプ９１からの作動油の吐出量がコントロールされる。油圧ポンプ９１の可動斜板９５を回転させて吐出された作動油は油圧モータ９２に回路９６、９７からなる閉回路を介して送油される。前記閉回路は油圧ポンプ９１の斜板９５の傾斜角度に応じて回路９６、９７の一方が高圧側油路になり、他方が低圧側油路になる。
【００６９】
また回路９６と回路９７の中間部を結ぶバイパス油路９９を有しており、該バイパス油路９９には高圧側油路と低圧側油路を連通または遮断する切換バルブ１０１を備えている。さらに、回路９６に一方向弁１０５を経由する油路１０５と回路９７に一方向弁１０９を経由する油路１１０を設け、該油路１０７又は油路１１０にはオイルタンク１０２から潤滑油を補充するために油圧ポンプ１１２を備えたチャージ圧用の油路１１３が設けられている。
【００７０】
図１５に示す油圧式無段変速装置２３は油圧ポンプ９１の吐出油圧を制御する傾斜角度を変更することで斜板９５を設けているが、該斜板９５と一体のトラニオン軸を備えた可変容量型油圧ポンプ９１と定容量型油圧モータ９２の間に油圧式無段変速装置閉回路を形成しており、該油圧式無段変速装置２３のトラニオン軸を作動させるの作動用シリンダ１１７でその回動角度を設定できる構成である。
【００７１】
作動用シリンダ１１７は油圧制御バルブ１１８によりシリンダピストン１１７ａの作動油圧量を調整することでシリンダ１１７の駆動制御をしている。
【００７２】
また、油圧式無段変速装置２３の閉回路の可変容量型油圧ポンプ９１と油圧モータ９２の並列位置に該油圧式無段変速装置２３の閉回路へ作動油を循環供給する方向を矢印Ａ方向又はＡ方向の逆方向に切替るシャトル弁１２０を有する油路１２１を設けている。該シャトル弁１２０のスプールが中立位置にあると油路１２１は開放して油圧モータ９２から作動油が吐出しない構成である。
【００７３】
シャトル弁１２０は前後進切替レバー１２３の操作位置に連動して弁１２０の切替が行われる構成になっている。すなわち、前後進切替レバー１２３の回動支点１２３ａの延長部の端部には該レバー１２３の回動角度に応じて張力が変化するようにスプリング１２４の一端が取り付けられている。該スプリング１２４の他端にはレバー１２５が固定され、該レバー１２５の中央に設けた支点１２５ａを中心にしてレバー固定部の反対側のレバー端部には負荷シリンダ１２７のピストン押圧部が接続している。また負荷シリンダ１２７のピストン１２７ａにより作動油が吐出する側の壁面にはシーケンス弁１２８を経由して前記シャトル弁１２０に接続する油路１２９が設けられている。
【００７４】
シーケンス弁１２９はある一定以上の油圧式無段変速装置２３の回路内の油圧にならないと負荷シリンダ１２７を作動させない構成になっている。また、前後進レバー１２３の操作荷重は全領域で一定となるようにレバー１２５の長さとレバー１２５の支点１２５ａの位置、負荷シリンダ１２７の作動圧、スプリング１２４の付勢力などが決められている。
【００７５】
上記構成からなる負荷制御機構では、油圧式無段変速装置２３のトラニオン軸の作動用シリンダ１１７がトラニオン軸（斜板）を中立位置に保持していると、シャトル弁１２０も中立位置に保持され、前後進切替レバー１２３には油圧式無段変速装置２３からは作動油が供給されない。一方トラニオン軸・斜板９５を作動させる作動用シリンダ１１７がトラニオン軸・斜板９５を中立位置から前進側又は後進側に傾けると油圧式無段変速装置２３の閉回路内の作動油がシャトル弁１２０にも供給され、次いでシーケンス弁１２８が開放すると負荷シリンダ１２７内に作動油が供給され、負荷シリンダ１２７からの圧力でレバー１２３が支点１２３ａを中心に揺動し、前後進切替レバー１２３の前進側又は後進側への操作に所定の負荷が掛かるようになっている。
【００７６】
油圧式無段変速装置２３の作動制御用の変速レバー１６をシリンダーに作動する電気サーボ制御による油圧式無段変速装置車速制御機構において角度センサー（図示せず）を有する前後進切替レバー１２３にスプリング１２４を介して前後進の走行圧に作動するシリンダー１２７を設けた前後進切替レバー１２３に適度な走行負荷をかけることにより、レバー１２３の操作力がオペレーターに伝わり、機械の過負荷状態を感ずる事ができる。速度調整時のフィーリングが良くなる。
【００７７】
本発明の実施例の田植機に用いられる油圧式無段変速装置２３はピストンシューを備えた油圧式無段変速装置であり、該ピストンシューを備えた油圧式無段変速装置の構成部材であるピストンシュー１３１を備えたピストンポンプ９１の一部を図１６（ａ）の断面視図と図１６（ｂ）のピストンポンプ９１のスラストプレート部分の拡大図に示すようなすり鉢状のスラストプレート１３０を用いる。
【００７８】
図１７の断面視図に現行品のピストンシュー１３１を摺動させるスラストプレート１３０’を示すように平面状であり、シリンダブロックの矢印Ａに示す回転によりピストン１３２に矢印Ｂに示すような遠心力が生じ、効率の低下を招いている。
【００７９】
そこで、本実施例ではスラストプレート１３０として図１６（ａ）、図１６（ｂ）の断面視図に示すように凹状のすり鉢形状のものを用いると、シリンダブロック回転運動によりピストン１３２に生じる遠心力を矢印Ｃに示すようにブロック内側に吸収して、効率の向上を図ることができる。
【００８０】
また、図１８（ｂ）の油圧式無段変速装置２３とギヤ噛合式の変速装置１３５へのエンジン動力伝達機構図に示すように現行のエンジン２０からの駆動力を油圧式無段変速装置２３を経由してギヤ噛合式の変速装置１３５に伝達する動力伝達機構において、エンジン２０からの駆動力を油圧式無段変速装置２３の油圧ポンプ９１からギヤ噛合式の変速装置１３５のリンクギヤ機構１４０のプラネタリギヤ１３６へ、油圧式無段変速装置２３の油圧モータ９２からギヤ噛合式の変速装置１３５のサンギヤ１３７へ伝達するＨＭＴなる構成が知られている。
【００８１】
従来のＨＭＴでは、効率最高点である油圧式無段変速装置２３の中立時にも油圧式無段変速装置２３のエンジン２０からの入力軸は回転しており、油圧式無段変速装置２３の油圧ポンプ９１側のシリンダブロック類を回転させることによる馬力ロス、油圧式無段変速装置油温上昇及び摺動部品の摩耗進行が起こっていた。
【００８２】
そこで、本実施例では図１８（ａ）の油圧式無段変速装置２３とギヤ噛合式の変速装置１３５へのエンジン動力伝達機構図に示すように、ＨＭＴにおいて油圧式無段変速装置２３の入力軸とエンジン出力軸との間にクラッチ１３９を設け、ＨＭＴ効率最高時、つまり油圧式無段変速装置中立時には油圧式無段変速装置のトラニオン軸に設けたセンサーによりクラッチを切り、油圧式無段変速装置の油圧ポンプ側のシリンダブロックを回転させることにより生じる馬力ロスを防止でき、油圧式無段変速装置の油温上昇、摺動部品の摩耗及びオイルシール類の摩耗も防止でき、耐久性向上にもつながる。また、油圧式無段変速装置入力軸を回転させないため、騒音の軽減効果もある。  
また、上記トラニオン軸に設けたセンサーの代わりに油圧式無段変速装置出力軸に設けた回転センサーによりクラッチの入り切りする構成にしても良い。
【産業上の利用可能性】
【００８３】
本発明は、８条植などの多条の苗植付用作業機の旋回時の操作性がよいので乗用型田植機などの乗用型作業機に利用できる。
【図面の簡単な説明】
【００８４】
【図１】本発明の実施例の乗用型田植機の側面図である。
【図２】図１の乗用型田植機の平面図である。
【図３】図１の乗用型田植機の操向操作に連動する後輪のクラッチ作動機構図である。
【図４】図１の乗用型田植機のチェンジレバー部の斜視図である。
【図５】図１の乗用型田植機の制御ブロック図である。
【図６】図１の乗用型田植機の旋回連動制御の考え方を示す図である。
【図７】図６の旋回連動制御のフローチャートである。
【図８】図１の乗用型田植機の旋回連動制御のフローチャートである。
【図９】図８の旋回連動制御時の旋回外側の車輪のサイドクラッチの入切り周期のタイムチャートである。
【図１０】図１の乗用型田植機の旋回連動制御時に車体が深く沈み込んでいる場合などので苗植付装置の下降を速くするためのフローチャート（図１０（ａ））と旋回内側の車輪の回転数設定値Ｎ１又は設定値Ｎ２の昇降リンクセンサの検出値に対する値の関係を示すグラフ（図１０（ｂ））である。
【図１１】図１の乗用型田植機が畦に苗植付部の旋回外端が乗り上げた場合などの旋回連動制御のフローチャートである。
【図１２】図１の乗用型田植機の操作盤のポンピングクラッチ調節ダイヤル部分の平面図である。
【図１３】図１の乗用型田植機の操作盤の植始め調節ダイヤル部分の平面図である。
【図１４】図１の乗用型田植機の操向操作に連動する後輪のクラッチ作動用の油圧回路図である。
【図１５】図１の乗用型田植機の油圧式無段変速装置の油圧回路構成図である。
【図１６】図１の乗用型田植機の油圧式無段変速装置のシュー型ピストンポンプの一部断面視図（図１６（ａ））とピストンポンプのスラストプレート部分の拡大図（図１６（ｂ））である。
【図１７】現行品の乗用型田植機の油圧式無段変速装置のシュー型ピストンポンプの一部断面視図である。
【図１８】図１の乗用型田植機の油圧式無段変速装置の油圧式無段変速装置とギヤ噛合式の変速装置へのエンジン動力伝達機構図（図１８（ａ））と現行品の油圧式無段変速装置とギヤ噛合式の変速装置へのエンジン動力伝達機構図（図１８（ｂ））である。
【符号の説明】
【００８５】
１  施肥装置付き乗用型田植機    ２  走行車体
３  昇降リンク装置              ４  苗植付部
５  粉粒体繰出し装置            １０  前輪
１１  後輪                      １２  ミッションケース
１３  前輪ファイナルケース      １５  メインフレーム
１６  変速レバー                １７  副変速レバー
１８  後輪ギヤケース            １９  苗植付レバー
２０  エンジン                  ２１  ベルト伝動装置
２２  株間レバー                ２３  油圧式無段変速装置
２５  植付クラッチケース        ２６  植付伝動軸
２７（２７ａ，２７ｂ）  ロータ  ２８  施肥伝動機構
２９  センターマスコット        ３０  エンジンカバー
３１  座席                      ３２  フロントカバー
３３  操作盤                    ３４  ハンドル
３５  フロアステップ            ３６  リヤステップ
３８  予備苗載台                ４０  上リンク
４１  下リンク                  ４２  リンクベースフレーム
４３  縦リンク                  ４４  連結軸
４５  ケーブル                  ４６  昇降油圧シリンダ
４７  車速規制プレート          ５０  苗植付伝動ケース
５０ａ  伝動軸                  ５１  苗載台
５１ａ  苗取出口                ５１ｂ  苗送りベルト
５２  苗植付装置                ５３  ブロア用電動モータ
５５  センターフロート          ５６  サイドフロート
５７  ミドルフロート            ５８  ブロア
５９  エアチャンバ              ６０  肥料ホッパ
６１  繰出部                    ６２  施肥ホース
６３  散布装置                  ６５  支持枠体
６５ａ  支持ローラ              ６５ｂ  両側辺部材
６６  梁部材                    ６６ａ  突出部
６７  支持アーム                ６８  ロータ支持フレーム
７０  駆動軸                    ７１  連結部材
７６，７７  リンク部材          ７８  スプリング
８１  ロータ上下位置調節レバー  ８２  折曲片
８５Ｊ  左右シフタ
８６Ｉ  左右クラッチ操作アーム
９０  チェンジレバー（前後進レバー）
９５  可動斜板                  ９１  可変容量型油圧ポンプ
９２  定容量式油圧モータ        ９６、９７  油圧閉回路
９９  バイパス油路              １０１  切換バルブ
１０２  オイルタンク            １０５，１０９  一方向弁
１０７，１１０，１１３  油路    １１２  油圧ポンプ
１０４  パイロット油路          １１５  切換バルブ
１１７  作動用シリンダ          １１８  油圧制御バルブ
１２０  シャトル弁              １２１，１２９  油路
１２３  前後進切替レバー        １２４  スプリング
１２５  レバー                  １２７  負荷シリンダ
１２８  シーケンス弁            １３０  スラストプレート
１３１  ピストンシュー          １３２  ピストン
１３５  ギヤ噛合式の変速装置    １３６  プラネタリギヤ
１３７  サンギヤ                １３９  クラッチ
１４０  リンクギヤ機構          １６１  昇降バルブ
１６２  チェックバルブ          １６６  フィンガーレバー
１６９  センターフロートセンサ
１７０  カウンター軸            １７１  アーム
１７２Ｌ・１７２Ｒ  左右連結ロッド
１７４  出力軸                  １７５  ピットマンアーム
１７７  作動ローラ             １７９  従動体
１８０  左右ロッド              １８２  左右センサ押片
１８３  オートリフトスイッチ
１８４  旋回制御のスタートボタン（スイッチ）
１８６  ブザー                  １９０  接当片
１９１  バックリフトスイッチ    １９２  自動リフト切替スイッチ
１９３  ハンドル切れ角センサ    ２０５  伝動軸回転数センサ
２０６ａ〜２０８ｂ  設定ダイヤル
２１０  ポンピングクラッチ調節ダイヤル
２１２  植始め調節ダイヤル      ２１７  プルシリンダ
２２１  クラッチ制御用電磁バルブ  
Ａ  旋回連繋機構
【図１】
0004998324.tif 000003
【図２】
0004998324.tif 000004
【図３】
0004998324.tif 000005
【図４】
0004998324.tif 000006
【図５】
0004998324.tif 000007
【図６】
0004998324.tif 000008
【図７】
0004998324.tif 000009
【図８】
0004998324.tif 000010
【図９】
0004998324.tif 000011
【図１０】
0004998324.tif 000012
【図１１】
0004998324.tif 000013
【図１２】
0004998324.tif 000014
【図１３】
0004998324.tif 000015
【図１４】
0004998324.tif 000016
【図１５】
0004998324.tif 000017
【図１６】
0004998324.tif 000018
【図１７】
0004998324.tif 000019
【図１８】
0004998324.tif 000020